(57)【要約】【課題】暗状態における斜め視野角への光漏れを低減する技術を提供する。【解決手段】液晶表示装置は、２枚の基板の間に設けられている液晶層と、前記２枚の基板の外側に設けられている２枚の偏光板と、少なくとも一方の前記偏光板と前記基板との間に設けられている補償フィルム（compensation film）を備えている。補償フィルムのリタデーション値は、１≦Ｒ０（４５０）／Ｒ０（λ０）≦１．３であり、１．１≦Ｒ０（６５０）／Ｒ０（λ０）≦２．１であり、１００ｎｍ≦Ｒ０（λ０）≦２４０ｎｍである。【選択図】図２
2005196214.tif 000002
【特許請求の範囲】
【請求項１】
２枚の基板と、
前記２枚の基板の間に設けられている液晶層と、
前記２枚の基板の外側に設けられている２枚の偏光板と、
少なくとも一方の前記偏光板と前記基板との間に設けられている補償フィルム（compensation film）を備えており、
前記補償フィルムのリタデーション値が下記の（１）から（３）式、即ち、
（１）          １≦Ｒ０（４５０）／Ｒ０（λ０）≦１．３
（２）      １．１≦Ｒ０（６５０）／Ｒ０（λ０）≦２．１
（３）  １００ｎｍ≦Ｒ０（λ０）≦２４０ｎｍ
を満たしており、
前記Ｒ０（４５０）、Ｒ０（６５０）、Ｒ０（λ０）のそれぞれは、前記補償フィルムの波長４５０ｎｍ、６５０ｎｍ、λ０におけるリタデーション値を表しており、
前記λ０は、λ０＝[ｎｅ−ｎｏ]×ｄ／ｋ（前記のｎｅ、ｎｏは液晶の屈折率（refractive index）を表しており、ｄは前記２枚の基板の間の距離（cell gap）を表しており、ｋは０．５５≦ｋ≦１を満たす定数を表している）であることを特徴とする液晶表示装置。
【請求項２】
前記補償フィルムのリタデーション値が下記の（４）および（５）式、即ち、
（４）      １≦Ｒ０（３８０）／Ｒ０（λ０）≦２
（５）  １．２≦Ｒ０（７８０）／Ｒ０（λ０）≦２．７
をさらに満たしており、
前記Ｒ０（３８０）、Ｒ０（７８０）のそれぞれは、前記補償フィルムの波長３８０ｎｍ、７８０ｎｍおけるリタデーション値を表していることを特徴とする請求項１の液晶表示装置。
【請求項３】
前記補償フィルムのリタデーション値がさらに下記の（６）から（８）式、即ち、
（６）      １≦Ｎｚ（４５０）／Ｎｚ（λ０）≦１．３
（７）      １≦Ｎｚ（６５０）／Ｎｚ（λ０）≦３
（８）  ０．１≦Ｎｚ（λ０）≦０．５
を満たしており、
前記Ｎｚ（４５０）、Ｎｚ（６５０）、Ｎｚ（λ０）のそれぞれは、前記補償フィルムの波長４５０ｎｍ、６５０ｎｍ、λ０におけるＮｚ値を表しており、
前記Ｎｚ値は、Ｎｚ＝[ｎｘ−ｎｚ]／[ｎｘ−ｎｙ]（ｎｘ、ｎｙ、ｎｚのそれぞれは、補償フィルムのｘｙｚ空間座標系におけるｘ軸、ｙ軸、ｚ軸方向の屈折率を表している）であることを特徴とする請求項１または２の液晶表示装置。
【請求項４】
前記補償フィルムのリタデーション値が下記の（９）および（１０）式、即ち、
（９）    １≦Ｎｚ（３８０）／Ｎｚ（λ０）≦３
（１０）  １≦Ｎｚ（７８０）／Ｎｚ（λ０）≦５
をさらに満たしており、
前記Ｎｚ（３８０）、Ｎｚ（７８０）のそれぞれは、前記補償フィルムの波長３８０ｎｍ、７８０ｎｍにおけるＮｚ値を表しており、
前記Ｎｚ値は、Ｎｚ＝[ｎｘ−ｎｚ]／[ｎｘ−ｎｙ]（ｎｘ、ｎｙ、ｎｚのそれぞれは、補償フィルムのｘｙｚ空間座標系におけるｘ軸、ｙ軸、ｚ軸方向の屈折率を表している）であることを特徴とする請求項３の液晶表示装置。
【請求項５】
前記補償フィルムのリタデーション値が下記の（１１）から（１３）式、即ち、
（１１）  １≦Ｒｔｈ（４５０）／Ｒｔｈ（λ０）≦１．２
（１２）  １．２≦Ｒｔｈ（６５０）／Ｒｔｈ（λ０）≦５
（１３）  １０ｎｍ≦Ｒｔｈ（λ０）≦１２０ｎｍ
をさらに満たしており、
前記Ｒｔｈ（４５０）、Ｒｔｈ（６５０）、Ｒｔｈ（λ０）のそれぞれは、前記補償フィルムの波長４５０ｎｍ、６５０ｎｍ、λ０におけるＲｔｈ値を表しており、
前記Ｒｔｈ値は、Ｒｔｈ＝[ｎｘ−ｎｚ]×ｄ’（ｎｘ、ｎｚのそれぞれは、補償フィルムのｘｙｚ空間座標系におけるｘ軸、ｚ軸方向の屈折率を表しており、ｄ’は補償フィルムの厚さを表している）であることを特徴とする請求項１から４のいずれかの液晶表示装置。
【請求項６】
前記補償フィルムのリタデーション値が下記の（１４）および（１５）式、即ち、
（１４）  １≦Ｒｔｈ（３８０）／Ｒｔｈ（λ０）≦６
（１５）  １．８≦Ｒｔｈ（７８０）／Ｒｔｈ（λ０）≦７．１
をさらに満たしており、
前記Ｒｔｈ（３８０）、Ｒｔｈ（７８０）のそれぞれは、前記補償フィルムの波長３８０ｎｍ、７８０ｎｍにおけるＲｔｈ値を表しており、
前記Ｒｔｈ値は、Ｒｔｈ＝[ｎｘ−ｎｚ]×ｄ’（ｎｘ、ｎｚのそれぞれは、補償フィルムのｘｙｚ空間座標系におけるｘ軸、ｚ軸方向の屈折率を表しており、ｄ’は補償フィルムの厚さを表している）であることを特徴とする請求項５の液晶表示装置。
【請求項７】
前記補償フィルムは、波長分散特性が異なる少なくとも２枚の補償フィルムの組合せから構成されていることを特徴とする請求項１から６のいずれかの液晶表示装置。
【発明の詳細な説明】
【技術分野】
【０００１】
本発明は液晶表示装置に関する。特に、液晶表示装置の視野角を拡大するために用いられる補償フィルムを備えた液晶表示装置に関する。
【背景技術】
【０００２】
近年、様々な液晶表示装置の形態や、補償フィルム（compensation  film）等の提案によって、液晶表示装置の視野角（viewing angle）を拡大する技術が開発されている。特に、横電界駆動（In-Plane Switching: ＩＰＳ）型液晶表示装置は、広視野角を実現する代表例である。ＩＰＳ型液晶表示装置では、基板に平行な電界によって液晶分子が基板に略平行な平面上で動くようになっている。
ツイストネマティック（ＴＮ）型液晶表示装置に比べ、ＩＰＳ液晶表示装置は高いコントラストを実現するするとともに、白黒表示に関しても極めて優れた視野角特性を実現している。しかしながら、視野角を大きくした場合、暗状態における光漏れが生じやすくなり、コントラスト比が低下してしまう。それにより、視野角を十分に広くできないという問題や、本来の色とは異なる色が表示される（カラーシフト）という問題が生じてしまう。
液晶表示装置の暗状態における斜め視野角への光漏れの原因には、下記の２つの原因が挙げられる。
（１）斜め視野角では偏光板が直交状態とはならないこと。
（２）斜め視野角における液晶（ＬＣ）層の光学リタデーション（Retardation）が入射光の偏光状態を変えてしまうこと。
上述の問題を解決する手法には、次の２つ手法が知られている。
（１）特許文献１に開示されているように、正の光学異方性をもつ液晶層で生じたリタデーションを、負の光学異方性をもつ補償フィルムで生じる光学リタデーションによって相殺する。
（２）特許文献２や非特許文献１に開示されているように、広視野角の偏光板を用いる。
【特許文献１】特開２００２−５５３４１号公報
【特許文献２】特開２００１−３５００２２号公報
【非特許文献１】情報ディスプレイ学会（Society for Information Display）編  ＳＩＤ００  ｐ．１０９４
【発明の開示】
【発明が解決しようとする課題】
【０００３】
しかしながら、上記の手法（１）を採用しても、暗状態の斜め視野角における光漏れを完全に解決することはできない。斜め視野角に対して偏光板が直交状態になっておらず、光漏れが生じるからである。上記の手法（２）を採用する場合、斜め視野角に対しても偏光板が直交する状態を実現できるが、液晶層で生じた光学リタデーションが、なおも暗状態における斜め視野角への光漏れを生じさせてしまう。上記の２つの手法では、暗状態における斜め視野角への光漏れの問題を完全に解決することができず、従来の液晶表示装置では暗状態における斜め視野角でのカラーシフト（color shift）等が解決されていなかった。
本発明の一つの目的は、暗状態における斜め視野角への光漏れにおいて、偏光板と液晶（ＬＣ）層とが引き起こす光漏れを同時に改善することであり、カラーシフトの問題を効果的に改善可能な液晶表示装置を提供するものである。
【課題を解決するための手段】
【０００４】
本発明が提供する液晶表示装置は、２枚の基板の間に設けられている液晶層と、２枚の基板の外側に設けられている２枚の偏光板と、少なくとも一方の偏光板と基板との間に設けられている補償フィルム（compensation film）を備えている。補償フィルムのリタデーション値は、下記の（１）から（３）式および／または（４）と（５）式を満たしていることを特徴とする。
（１）      １≦Ｒ０（４５０）／Ｒ０（λ０）≦１．３
（２）  １．１≦Ｒ０（６５０）／Ｒ０（λ０）≦２．１
（３）  １００ｎｍ≦Ｒ０（λ０）≦２４０ｎｍ
（４）      １≦Ｒ０（３８０）／Ｒ０（λ０）≦２
（５）  １．２≦Ｒ０（７８０）／Ｒ０（λ０）≦２．７
上記のＲ０（３８０）、Ｒ０（４５０）、Ｒ０（６５０）、Ｒ０（７８０）、Ｒ０（λ０）のそれぞれは、補償フィルムの波長３８０ｎｍ、４５０ｎｍ、６５０ｎｍ、７８０ｎｍ、λ０におけるリタデーション値を表している。上記のλ０は、λ０＝[ｎｅ−ｎｏ]×ｄ／ｋ（ｎｅ、ｎｏは液晶の屈折率（refractive index）を表しており、ｄは前記２枚の基板の間の距離（セルギャップ：cell gap）を表しており、ｋは０．５５≦ｋ≦１を満たす定数を表している）である。
【０００５】
補償フィルムのリタデーション値は、下記（６）から（８）式および／または（９）と（１０）式をさらに満たすことが好ましい。
（６）        １≦Ｎｚ（４５０）／Ｎｚ（λ０）≦１．３
（７）        １≦Ｎｚ（６５０）／Ｎｚ（λ０）≦３
（８）    ０．１≦Ｎｚ（λ０）≦０．５
（９）        １≦Ｎｚ（３８０）／Ｎｚ（λ０）≦３
（１０）      １≦Ｎｚ（７８０）／Ｎｚ（λ０）≦５
上記のＮｚ（３８０）、Ｎｚ（４５０）、Ｎｚ（６５０）、Ｎｚ（７８０）、Ｎｚ（λ０）のそれぞれは、補償フィルムの波長３８０ｎｍ、４５０ｎｍ、６５０ｎｍ、７８０ｎｍ、λ０（上記と同じく定義する）におけるＮｚ値を表している。そのＮｚ値は、Ｎｚ＝[ｎｘ−ｎｚ]／[ｎｘ−ｎｙ]（ｎｘ、ｎｙ、ｎｚのそれぞれは、補償フィルムのｘｙｚ空間座標系におけるｘ軸、ｙ軸、ｚ軸方向の屈折率を表している）である。
【０００６】
補償フィルムのリタデーション値は、下記の（１１）〜（１３）式および／または（１４）と（１５）式をさらに満たすことが好ましい。
（１１）        １≦Ｒｔｈ（４５０）／Ｒｔｈ（λ０）≦１．２
（１２）    １．２≦Ｒｔｈ（６５０）／Ｒｔｈ（λ０）≦５
（１３）  １０ｎｍ≦Ｒｔｈ（λ０）≦１２０ｎｍ
（１４）        １≦Ｒｔｈ（３８０）／Ｒｔｈ（λ０）≦６
（１５）    １．８≦Ｒｔｈ（７８０）／Ｒｔｈ（λ０）≦７．１
上記のＲｔｈ（３８０）、Ｒｔｈ（４５０）、Ｒｔｈ（６５０）、Ｒｔｈ（７８０）、Ｒｔｈ（λ０）のそれぞれは、補償フィルムの波長３８０ｎｍ、４５０ｎｍ、６５０ｎｍ、７８０ｎｍ、λ０（前記と同じく定義する）におけるＲｔｈ値を表している。そのＲｔｈ値は、Ｒｔｈ＝[ｎｘ−ｎｚ]×ｄ’（ｎｘ、ｎｚのそれぞれは、補償フィルムのｘｙｚ空間座標系におけるｘ軸、ｚ軸方向の屈折率を表しており、ｄ’は補償フィルムの厚さを表している）である。
【０００７】
この補償フィルムによれば、そのリタデーション値の波長分散特性（wavelength dispersion）が波長毎に最適化されているので、各波長の入射光が良好に補償されることになる。暗状態では全般的に透過率が低減されることとなり、カラーシフトの現象も見られない。
補償フィルムは、上記した波長分散特性（上記で規定されている光学パラメータＲ０、Ｒｔｈ、Ｎｚの範囲）を備えた材料から形成することが可能である。あるいは波長分散特性が異なる少なくとも２枚の補償フィルムを組合せて補償フィルムを構成することもできる。組合せた補償フィルムの全体が上記した波長分散特性を備えるようにしてもよい。
【発明を実施するための最良の形態】
【０００８】
図１は、液晶表示装置１０を示している。液晶表示装置１０は、２枚の偏光板１１０、１２０と、それらの間に介在しているＩＰＳ型液晶ディスプレイユニット１００（図１中では、その配向方向（rubbing direction）を矢印で示す）等を備えている。偏光板１１０、１２０は、例えばポリビニルアルコール（ＰＶＡ）層で構成される吸収層を備えている。偏光板１１０、１２０は、偏向方向が交差するように配設されており、その吸収軸（図１にて矢印で示す）同士が垂直となっている。液晶ディスプレイユニット１００と偏光板１１０、１２０との間には、単層のトリアセチルセルロース（ＴＡＣ）フィルム１３０が各々設けられている。液晶表示装置１０は、ＴＡＣフィルム１３０と液晶ディスプレイユニット１００との間に介在している補償フィルム１４０（図１では、その遅軸（slow axis）を矢印で示す）が設けられている。補償フィルム１４０は、暗状態の光漏れを低減することによって、コントラスト比を向上させるものである。人の目は緑色光に最も敏感であることから、従来の補償フィルムは緑色光（５５０ｎｍ）のみに最適化されている。
ＩＰＳ型液晶ディスプレイユニット１００は、２枚の基板と、その２枚の基板の間に設けられている液晶層を備えている。
【０００９】
光の透過率は、電場の偏光状態や偏光板との関係により決定される。偏光状態は、液晶ディスプレイユニット１００の液晶層やその他の光学異方性要素（例えばＴＡＣフィルム１３０）によって生じた位相差（Phase difference）により決定される。そして、偏光状態は波長毎に異なることから、補償フィルム１４０に求められるリタデーション値も波長毎に異なることとなる。通常のＩＰＳ型液晶表示装置では、液晶のリタデーション値（Retar.）は約２５０〜３８０ｎｍ（λ＝５５０ｎｍ）の範囲にあり、ＴＡＣフィルム１３０の光学パラメータＲｔｈは約２０〜７０ｎｍの範囲にある。ここで光学パラメータＲｔｈ値はＲｔｈ＝（ｎｘ−ｎｚ）ｄ２で表され、ｎｘ、ｎｚのそれぞれはＴＡＣフィルムのｘｙｚ空間座標系におけるｘ軸、ｚ軸方向の屈折率を表しており、ｄ２は膜厚を表している。
【００１０】
本出願人は、上記した各指標の範囲に対して補償フィルム１４０の好適なリタデーション値を研究するにあたり、液晶表示装置に対して表１に示す実施例Ａ〜Ｄの条件を設定した。
【表１】
2005196214.tif 000003
【００１１】
本出願人は、液晶表示器用の実験器（シンテック社（Shintech Co.,Ltd）製のLCD Master）を利用し、ポアンカレ球（Poincare sphere）法を用いて、上記の各実施例の設定条件に対して最適な補償フィルムの光学パラメータ（Ｒ０、Ｒｔｈ、Ｎｚ）を求めた。その結果を、下記の表２から表４に示す。なおここでは、図１の構造を備える液晶表示装置１０を使用し、偏光板１１０、１２０には住友化学株式会社製の偏光板ＳＲＷ８６２を使用した。
【００１２】
【表２】
2005196214.tif 000004
【００１３】
光学パラメータＲ０（３８０）、Ｒ０（４５０）、Ｒ０（６５０）、Ｒ０（７８０）、Ｒ０（λ０）のそれぞれは、補償フィルムの波長３８０ｎｍ、４５０ｎｍ、６５０ｎｍ、７８０ｎｍ、λ０におけるリタデーション値Ｒ０を表している。波長λ０は、補償フィルムのリタデーション値Ｒ０が最小となるときの波長である。なおリタデーション値Ｒ０は、Ｒ０＝[ｎｘ−ｎｙ]×ｄ’（ｎｘ、ｎｙのそれぞれは補償フィルムのｘｙｚ空間座標系におけるｘ軸およびｙ軸方向の屈折率を表しており、ｄ’は補償フィルムの厚さを表している）である。また指標ｋは、ｋ＝[ｎｅ−ｎｏ]×ｄ／λ０（ｎｅ、ｎｏは液晶の屈折率（refractive index）を表しており、ｄは前記２枚の基板の間の距離（cell gap）を表している）である。
【００１４】
表２に示す結果に基づいて、補償フィルムの好適な光学パラメータＲ０は、下記の（１）〜（３）式および／または（４）〜（５）式を満たすことがわかる。
（１）          １≦Ｒ０（４５０）／Ｒ０（λ０）≦１．３
（２）      １．１≦Ｒ０（６５０）／Ｒ０（λ０）≦２．１
（３）  １００ｎｍ≦Ｒ０（λ０）≦２４０ｎｍ
（４）          １≦Ｒ０（３８０）／Ｒ０（λ０）≦２
（５）      １．２≦Ｒ０（７８０）／Ｒ０（λ０）≦２．７
ここでλ０は、λ０＝[ｎｅ−ｎｏ]×ｄ／ｋであって、かつ０．５５≦ｋ≦１である。
【００１５】
【表３】
2005196214.tif 000005
【００１６】
光学パラメータＮｚ（３８０）、Ｎｚ（４５０）、Ｎｚ（６５０）、Ｎｚ（７８０）、Ｎｚ（λ０）のそれぞれは、補償フィルムの波長３８０ｎｍ、４５０ｎｍ、６５０ｎｍ、７８０ｎｍ、λ０におけるＮｚ値を表している。波長λ０は、補償フィルムのＮｚ値が最小となるときの波長である。なおＮｚ値は、Ｎｚ＝[ｎｘ−ｎｚ]／[ｎｘ−ｎｙ]（ｎｘ、ｎｙ、ｎｚのそれぞれは、補償フィルムのｘｙｚ空間座標系におけるｘ軸、ｙ軸、ｚ軸方向の屈折率を表している）である。また指標ｋは、ｋ＝[ｎｅ−ｎｏ]×ｄ／λ０（ｎｅ、ｎｏは液晶の屈折率を表しており、ｄは２枚の基板の間の距離（cell gap）を表している）である。
【００１７】
表３に示す結果に基づいて、補償フィルムの好適な光学パラメータＮｚは、下記の（６）〜（８）式および／または（９）〜（１０）式を満たすことがわかる。
（６）          １≦Ｎｚ（４５０）／Ｎｚ（λ０）≦１．３
（７）          １≦Ｎｚ（６５０）／Ｎｚ（λ０）≦３
（８）    ０．１≦Ｎｚ（λ０）≦０．５
（９）        １≦Ｎｚ（３８０）／Ｎｚ（λ０）≦３
（１０）      １≦Ｎｚ（７８０）／Ｎｚ（λ０）≦５
ここで、λ０＝[ｎｅ−ｎｏ]×ｄ／ｋであり、かつ０．５５≦ｋ≦１である。
【００１８】
【表４】
2005196214.tif 000006
【００１９】
光学パラメータＲｔｈ（３８０）、Ｒｔｈ（４５０）、Ｒｔｈ（６５０）、Ｒｔｈ（７８０）、Ｒｔｈ（λ０）のそれぞれは、補償フィルムの波長３８０ｎｍ、４５０ｎｍ、６５０ｎｍ、７８０ｎｍ、λ０におけるＲｔｈ値を表している。波長λ０は、補償フィルムのＲｔｈ値が最小となるときの波長である。なおＲｔｈ値は、Ｒｔｈ＝[ｎｘ−ｎｚ]×ｄ’（ｎｘ、ｎｚのそれぞれは補償フィルムのｘｙｚ空間座標系におけるｘ軸、ｚ軸方向の屈折率を表しており、ｄ’は補償フィルムの厚さを表している）である。また指標ｋは、ｋ＝[ｎｅ−ｎｏ]×ｄ／λ０（ｎｅ、ｎｏは液晶の屈折率を表しており、ｄは２枚の基板の間の距離（cell gap）を表している）である。
【００２０】
表４に示す結果に基づいて、補償フィルムの好適な光学パラメータＲｔｈは、下記の（１１）〜（１３）式および／または（１４）〜（１５）式を満たすことがわかる。
（１１）        １≦Ｒｔｈ（４５０）／Ｒｔｈ（λ０）≦１．２
（１２）    １．２≦Ｒｔｈ（６５０）／Ｒｔｈ（λ０）≦５
（１３）  １０ｎｍ≦Ｒｔｈ（λ０）≦１２０ｎｍ
（１４）        １≦Ｒｔｈ（３８０）／Ｒｔｈ（λ０）≦６
（１５）    １．８≦Ｒｔｈ（７８０）／Ｒｔｈ（λ０）≦７．１
ここで、λ０＝[ｎｅ−ｎｏ]×ｄ／ｋであり、かつ０．５５≦ｋ≦１である。
【００２１】
図２は、従来の補償フィルム（日東電工株式会社製のＮＲＺフィルム）を使用した液晶表示装置の場合（図中Ｆ）と、上記の好適な光学特性を備える補償フィルム（実施例Ｂ）を使用した液晶表示装置の場合（図中Ｇ）とを対比して、波長λと暗状態における光透過率の関係を示すものである。また、補償フィルムを使用しない液晶表示装置の場合（図中のＥ）も併せて示されている。なお測定条件は、斜め視野角（極角Θ（polar angle））が６０度であり、方位角Φ（azimuthal angle）が４５度である。図２に示すように、従来の補償フィルムで光学補償した場合、単に緑色光のみに最適化されていることから、青色や赤色波領域での透過率には同等量の低減が見られない。その結果、暗状態において斜め視野角に対してカラーシフト現象が発生してしまい、無色の暗状態とはならない。それに対して、好適な補償フィルム（実施例Ｂ）で光学補償した場合、リタデーション値の波長分散特性（wavelength dispersion）が各波長に対して改善されているので、各波長の入射光がそれぞれ良好に光学補償されている。その結果、暗状態では全般にわたって透過率が低減されることとなり、カラーシフトの現象は見られなくなる。
【００２２】
図３は、従来の補償フィルムの波長λと光学屈折率異方性（refractive index difference）ｎｘ−ｎｙの関係を示している。図４は、従来の補償フィルムの波長λと光学屈折率異方性ｎｘ−ｎｚの関係を示している。図５は、従来の補償フィルムの波長λと光学パラメータＮｚの関係を示している。図３〜図５に示されるように、従来の補償フィルムの光学屈折率異方性ｎｘ−ｎｙ、ｎｘ−ｎｚ、および光学パラメータＮｚは、波長λの増大に伴って徐々に低減していく傾向があるとともに、それぞれが１つの定数に漸近している。
【００２３】
図６は、好適な補償フィルム（実施例Ｂ）の波長λと光学屈折率異方性ｎｘ−ｎｙの関係を示している。図７は、好適な補償フィルム（実施例Ｂ）の波長λと光学屈折率異方性ｎｘ−ｎｚの関係を示している。図８は、好適な補償フィルムの波長λと光学パラメータＮｚの関係を示している。図６〜図８に示されるように、本技術による好適な補償フィルムの光学屈折率異方性ｎｘ−ｎｙ、ｎｘ−ｎｚおよび光学パラメータＮｚは、波長λに対して下方に窪んだ曲線で表される。
【００２４】
本技術による補償フィルムによれば、そのリタデーション値の波長分散特性（wavelength dispersion）が各波長に対して改善されているので、各波長の入射光がそれぞれ良好に光学補償されている。暗状態では全般にわたって透過率が低減されることとなり、カラーシフトの現象は見られない。
本技術による補償フィルムは、上記した波長分散特性（上記した光学パラメータＲ０、Ｒｔｈ、Ｎｚの範囲を満たす特性）を備えた材料から形成することができる。あるいは、本技術による補償フィルムを、波長分散特性が異なる少なくとも２枚の補償フィルムを組合せて構成し、その組合せた補償フィルム全体が上記した波長分散特性を備えるようにしてもよい。
【図面の簡単な説明】
【００２５】
【図１】本技術による液晶表示装置の概略図である。
【図２】本技術の補償フィルムを使用する液晶表示装置の波長λと暗状態における光透過率の関係を示す図。
【図３】従来の補償フィルムの波長λと光学屈折率異方性ｎｘ−ｎｙの関係を示す図。
【図４】従来の補償フィルムの波長λと光学屈折率異方性ｎｘ−ｎｚの関係を示す図。
【図５】従来の補償フィルムの波長λと光学パラメータＮｚ値の関係を示す図。
【図６】本技術の補償フィルムの波長λと光学屈折率異方性ｎｘ−ｎｙの関係を示す図。
【図７】本技術の補償フィルムの波長λと光学屈折率異方性ｎｘ−ｎｚの関係を示す図。
【図８】本技術の補償フィルムの波長λと光学パラメータＮｚの関係を示す図。
【符号の説明】
【００２６】
１０・・液晶表示装置
１００・・液晶ディスプレイユニット
１１０・・偏光板
１２０・・偏光板
１３０・・トリアセチルセルロース（ＴＡＣ）フィルム
１４０・・補償フィルム
【図１】
2005196214.tif 000007
【図２】
2005196214.tif 000008
【図３】
2005196214.tif 000009
【図４】
2005196214.tif 000010
【図５】
2005196214.tif 000011
【図６】
2005196214.tif 000012
【図７】
2005196214.tif 000013
【図８】
2005196214.tif 000014